(57)【要約】【課題】側壁に回動可能に取り付けられた一対の蓋板によって蓋体が構成される蓋付きコンテナであって、そのような蓋体の中央部に大きな荷重が作用した場合でも、蓋板の変形を極力防止することが可能な蓋付きコンテナを提供する。【解決手段】上方に開口した容器本体１を構成する一対の長側壁４の上端部には、それぞれヒンジ部Ｈを介して一対の蓋板６が回動可能に取り付けられている。各蓋板６の裏面には、長側壁４と略平行に延びる第１の補強リブ６７と、その第１補強リブ６７の両端部の近傍に位置する第１の荷重伝達部７１とが設けられている。他方、容器本体１を構成する一対の短側壁５Ａ，５Ｂの内壁面の上端部近傍には、第１の荷重受け部５４が設けられている。この荷重受け部５４は、蓋板６が閉塞位置に配置されたときにその蓋板の前記第１の荷重伝達部７１を支持する。【選択図】図２
2008213881.tif 000002
【特許請求の範囲】
【請求項１】
平面矩形状の底壁、前記底壁の一方の対向辺に沿って設けられた一対の第１側壁及び前記底壁の他方の対向辺に沿って設けられた一対の第２側壁を有し上方に開口した容器本体と、前記一対の第１側壁の各々の上端部にそれぞれの基端部が回動可能に取り付けられた略矩形状の一対の蓋板からなる蓋体とを備え、前記一対の蓋板をそれぞれの先端部が互いに噛み合う又は向き合うような閉塞位置に配置することで前記蓋体により前記容器本体の上端開口部を閉塞可能な蓋付きコンテナであって、
前記蓋板には、前記第１側壁と略平行に延びる第１の補強リブと、その第１の補強リブの端部又はその近傍に位置する第１の荷重伝達部とが設けられており、
前記第２側壁の上端部又はその近傍には、前記蓋板を前記閉塞位置に配置したときにその蓋板に設けられた前記第１の荷重伝達部を支持するための第１の荷重受け部が設けられていることを特徴とする蓋付きコンテナ。
【請求項２】
前記蓋板の第１の補強リブは、その蓋板の基端部と先端部との中間位置、又はその中間位置よりも蓋体の先端部寄り位置に位置するように設けられていることを特徴とする請求項１に記載の蓋付きコンテナ。
【請求項３】
前記一対の蓋板が前記閉塞位置に配置されてできる蓋体の中央部に、当該蓋体上に積載される他のコンテナの底部を受け入れ可能な凹部（Ｒ）が構築されるように、前記一対の蓋板の各々は、その基端部側及び両側部側の三辺に沿って形成された周辺板部と、その周辺板部よりも低く位置するように当該周辺板部に対し段差を伴って連続形成された中央板部とを備えており、
前記第１の補強リブは、前記蓋板の中央板部の下面側に設けられ、前記第１の荷重伝達部は、前記蓋板の周辺板部の下面側であって前記第１の補強リブの端部の近傍に設けられていることを特徴とする請求項１又は２に記載の蓋付きコンテナ。
【請求項４】
前記蓋板の中央板部の下面側には、前記第１の補強リブと略直交する方向に延びる第２の補強リブが設けられ、
前記蓋板の周辺板部の下面側には、前記第２の補強リブの蓋板基端部側端部の近傍に位置する第２の荷重伝達部が設けられ、
前記第１側壁の上端部又はその近傍には、前記蓋板を前記閉塞位置に配置したときにその蓋板に設けられた前記第２の荷重伝達部を支持するための第２の荷重受け部が設けられていることを特徴とする請求項３に記載の蓋付きコンテナ。
【請求項５】
前記蓋板の基端部は、前記第１側壁の上端部に対しヒンジ部を介して回動可能に取り付けられており、その蓋板の基端部には、前記ヒンジ部を構成するための円筒状又は円柱状の軸支持部と、その軸支持部を蓋板の本体に連結する軸支持部連結部とが設けられ、
前記軸支持部連結部には、前記第１の補強リブと略直交する方向に延びる第３の補強リブが形成されており、
前記第１側壁の上端部には、前記蓋板を前記閉塞位置に配置したときに前記第３の補強リブを支持するための第３の荷重受け部が設けられていることを特徴とする請求項４に記載の蓋付きコンテナ。
【発明の詳細な説明】
【技術分野】
【０００１】
本発明は、蓋付きコンテナ（蓋付きの運搬用容器）に関する。
【背景技術】
【０００２】
従来、底壁及び四つの側壁を備えると共に上方に開口した容器本体に対し、その上端開口部を観音開き式に開閉するための二枚の蓋板を回動可能に取り付けてなる蓋付きコンテナが知られている。そして、蓋付きコンテナには、蓋を閉じた状態（即ち物品収容状態）の複数のコンテナを多段に積み上げることが可能であると共に、蓋を開いた状態（即ち物品未収容状態）の複数のコンテナを多段に積み重ねることで嵩低く積載収納可能に設計されたものがある（例えば特許文献１の図３及び図４参照）。かかる蓋付きコンテナでは、蓋を閉じた状態での多段積み時に、蓋板の変形を回避しつつ上段コンテナの荷重を下段コンテナで如何に支えるかが重要な技術的課題となる。
【０００３】
そこで、例えば特許文献１の運搬用容器では、容器本体を構成する側壁の内壁面に棚部（２６）を設けると共に、蓋体を構成する各蓋板の裏面にリブ（３２）を設けている。各リブ（３２）は、蓋板が閉塞位置に配置されたときに上記側壁内壁面の棚部（２６）に載るように配設されている。また、蓋閉じ状態の容器を多段積みした際、下段容器のリブの直上に上段容器の容器本体の底部（２０）が重なるように設けている。こうして、下段容器の蓋体にかかる上段容器の荷重を、各蓋板裏面のリブを介して容器本体の側壁に分散させることにより、蓋板の変形防止を図っている。
【０００４】
【特許文献１】特開２００１−２４００６２号公報
【発明の開示】
【発明が解決しようとする課題】
【０００５】
しかしながら、特許文献１の容器では、蓋板を閉じたときにリブ（３２）が側壁内壁面の棚部（２６）に載るように設けられているとは、リブ（３２）が蓋板のヒンジ連結部の近傍に配置される必要があることを意味する。このため、仮に蓋体の中央部分（つまり二枚の蓋板の先端部が互いに噛み合う領域）に対して大きな荷重が作用した場合、その大荷重を蓋板裏面のリブで十分に支えることができず、蓋体の中央部分の変形（撓み）を抑制することが極めて難しい。特許文献１ではそのことを慮って、蓋閉じ状態の容器を多段積みした際に下段容器のリブの直上に上段容器の容器本体の底部（２０）が重なるように設ける旨、容器構造を限定している。翻って言えば、蓋閉じ状態の容器を多段積みした際、蓋体の中央部分にも少なからぬ荷重が作用し得るような構造の蓋付き容器に対しては、特許文献１の技術を適用しても蓋板の変形防止を図ることが難しいということである。
【０００６】
本発明の目的は、側壁に回動可能に取り付けられた一対の蓋板によって蓋体が構成される蓋付きコンテナであって、そのような蓋体の中央部に大きな荷重が作用した場合でも、蓋板の変形を極力防止することが可能な蓋付きコンテナを提供することにある。
【課題を解決するための手段】
【０００７】
請求項１の発明は、平面矩形状の底壁、前記底壁の一方の対向辺に沿って設けられた一対の第１側壁及び前記底壁の他方の対向辺に沿って設けられた一対の第２側壁を有し上方に開口した容器本体と、前記一対の第１側壁の各々の上端部にそれぞれの基端部が回動可能に取り付けられた略矩形状の一対の蓋板からなる蓋体とを備え、前記一対の蓋板をそれぞれの先端部が互いに噛み合う又は向き合うような閉塞位置に配置することで前記蓋体により前記容器本体の上端開口部を閉塞可能な蓋付きコンテナであって、前記蓋板には、前記第１側壁と略平行に延びる第１の補強リブと、その第１の補強リブの端部又はその近傍に位置する第１の荷重伝達部とが設けられており、前記第２側壁の上端部又はその近傍には、前記蓋板を前記閉塞位置に配置したときにその蓋板に設けられた前記第１の荷重伝達部を支持するための第１の荷重受け部が設けられていることを特徴とする蓋付きコンテナである。
【０００８】
本発明の蓋付きコンテナでは、第１側壁に回動可能に取り付けられた一対の蓋板をそれぞれの先端部が互いに噛み合う又は向き合うような閉塞位置に配置することで、蓋体（一対の蓋板）により容器本体の上端開口部を閉塞することができる。この閉塞時には、蓋板の第１の補強リブの端部又はその近傍に設けられた第１の荷重伝達部が、第２側壁の上端部又はその近傍に設けられた第１の荷重受け部に支持される。つまり、閉塞時の蓋体上に他のコンテナが積載される等して蓋板に荷重がかけられたとしても、その荷重は、第１の補強リブ、第１の荷重伝達部及び第１の荷重受け部を介して第２側壁に確実に伝達され、第２側壁全体に分散される。また、蓋板に第１側壁と略平行に延びる第１の補強リブが設けられていることで、蓋板自体の剛性も高められている。従って本発明によれば、蓋体上に荷重がかけられた場合でも蓋板の変形を極力防止することができる。
【０００９】
請求項２の発明は、請求項１に記載の蓋付きコンテナにおいて、前記蓋板の第１の補強リブは、その蓋板の基端部と先端部との中間位置、又はその中間位置よりも蓋体の先端部寄り位置に位置するように設けられていることを特徴とする。
【００１０】
このように第１側壁と略平行に延びる第１の補強リブを蓋板の基端部と先端部との中間位置に配置することで、第１側壁と略平行な方向に沿った蓋板の剛性を高めることができる。特に、第１の補強リブを前記中間位置よりも蓋体の先端部寄り位置に配置することにより、一対の蓋板を閉塞位置に配置したときの蓋体の中央部（つまり両蓋板の先端部が互いに噛み合う又は互いに向き合う領域）の剛性を高めることができる。
【００１１】
請求項３の発明は、請求項１又は２に記載の蓋付きコンテナにおいて、前記一対の蓋板が前記閉塞位置に配置されてできる蓋体の中央部に、当該蓋体上に積載される他のコンテナの底部を受け入れ可能な凹部（Ｒ）が構築されるように、前記一対の蓋板の各々は、その基端部側及び両側部側の三辺に沿って形成された周辺板部と、その周辺板部よりも低く位置するように当該周辺板部に対し段差を伴って連続形成された中央板部とを備えており、前記第１の補強リブは、前記蓋板の中央板部の下面側に設けられ、前記第１の荷重伝達部は、前記蓋板の周辺板部の下面側であって前記第１の補強リブの端部の近傍に設けられていることを特徴とする。
【００１２】
この蓋付きコンテナによれば、一対の蓋板を閉塞位置に配置したときに蓋体の中央部に構築される凹部（Ｒ）に対し、他のコンテナ（上段コンテナ）の底部を受け入れさせることにより、各コンテナの水平方向への相対移動を規制した状態で複数のコンテナを垂直方向に多段積み（スタッキング）することが可能になる。また、スタッキング時におけるコンテナ相互間の水平移動規制を、下段コンテナの蓋体中央部に構築される凹部（Ｒ）と、その凹部（Ｒ）に受容される上段コンテナの底部との間の凹凸係合に基づくものとしたので、スタッキングに際しては、上段コンテナに下段コンテナの蓋体上を水平スライドさせるスライドスタッキング（図１０参照）を採用することができ、作業性が極めて良いという利点がある。但し、上記のように閉塞時蓋体の中央部に凹部（Ｒ）を構築すべく各蓋板の構造として周辺板部に対し段差を伴って中央板部を連続形成する構造を採用し、現実にそのような蓋体の中央部に上段コンテナの底部を載せた場合には、下段コンテナの蓋体中央部に荷重が集中し、蓋体を構成する各蓋板が大きく撓んでコンテナの閉塞状態を保てないという問題が一般に生ずる。この点、本発明においては、蓋板の中央板部の下面側に第１側壁と略平行に延びる第１の補強リブを設けると共に、蓋板の周辺板部の下面側であって第１補強リブの端部の近傍に当該第１補強リブに対応する第１の荷重伝達部を設けているので、各蓋板に上記段差構造を採用したにもかかわらず、蓋閉塞時の蓋体中央部の剛性が高められる。従って、複数コンテナのスタッキング時においても、蓋体の中央部の変形を極力防止することができる。
【００１３】
請求項４の発明は、請求項３に記載の蓋付きコンテナにおいて、前記蓋板の中央板部の下面側には、前記第１の補強リブと略直交する方向に延びる第２の補強リブが設けられ、前記蓋板の周辺板部の下面側には、前記第２の補強リブの蓋板基端部側端部の近傍に位置する第２の荷重伝達部が設けられ、前記第１側壁の上端部又はその近傍には、前記蓋板を前記閉塞位置に配置したときにその蓋板に設けられた前記第２の荷重伝達部を支持するための第２の荷重受け部が設けられていることを特徴とする。
【００１４】
この構成によれば、蓋板の閉塞時には、蓋板の第２の補強リブの蓋板基端部側端部の近傍に設けられた第２の荷重伝達部が、第１側壁の上端部又はその近傍に設けられた第２の荷重受け部に支持される。つまり、閉塞時の蓋体上に他のコンテナが積載される等して蓋板に荷重がかけられたとしても、その荷重は、第２の補強リブ、第２の荷重伝達部及び第２の荷重受け部を介して第１側壁に伝達され、第１側壁全体に分散される。また、第１側壁と略平行に延びる第１の補強リブに加えて、第１の補強リブと略直交する方向に延びる第２の補強リブが蓋板に設けられていることで、蓋板自体の剛性が更に高められる。従って本発明によれば、蓋体上に荷重がかけられた場合でも蓋板の変形を極力防止することができる。
【００１５】
請求項５の発明は、請求項４に記載の蓋付きコンテナにおいて、前記蓋板の基端部は、前記第１側壁の上端部に対しヒンジ部を介して回動可能に取り付けられており、その蓋板の基端部には、前記ヒンジ部を構成するための円筒状又は円柱状の軸支持部と、その軸支持部を蓋板の本体に連結する軸支持部連結部とが設けられ、前記軸支持部連結部には、前記第１の補強リブと略直交する方向に延びる第３の補強リブが形成されており、前記第１側壁の上端部には、前記蓋板を前記閉塞位置に配置したときに前記第３の補強リブを支持するための第３の荷重受け部が設けられていることを特徴とする。
【００１６】
この構成によれば、蓋板の閉塞時、蓋板の本体から軸支持部連結部に伝えられた荷重が、第３の補強リブ及び第３の荷重受け部を介して第１側壁に伝達及び分散されるので、蓋板の変形防止の一助とすることができる。また、ヒンジ部を構成するための円筒状又は円柱状の軸支持部を蓋板の本体に連結する軸支持部連結部に第３の補強リブを形成したことで、当該軸支持部連結部の強度が向上し、ひいてはヒンジ部の破損防止を図ることができる。
【発明の効果】
【００１７】
各請求項に記載の蓋付きコンテナによれば、蓋閉じ状態のコンテナを複数個スタッキング等することにより、各コンテナの蓋体の中央部に大きな荷重が作用した場合でも、蓋体を構成する各蓋板の変形を極力防止することができる。そして、各コンテナの蓋閉じ状態を極力維持して、収納物品の外部への飛び出しや外部からの異物混入を防止することができる。
【００１８】
特に請求項３〜５の蓋付きコンテナによれば、閉塞時蓋体の中央部に凹部（Ｒ）を構築すべく各蓋板の構造として周辺板部に対し段差を伴って中央板部を連続形成する構造を採用したので、下段コンテナの蓋体中央部の凹部（Ｒ）に対し上段コンテナの底部を受け入れさせることで、複数コンテナのスタッキングを安定化することができる。また、そのような蓋板構造を採用したので、複数コンテナのスタッキングに際してはスライドスタッキングを行うことができ、段積み時の作業性を向上させることができる。更に、蓋板の下面側に第１の補強リブ及び第１の荷重伝達部を設けたことで、閉塞時蓋体の中央部に凹部（Ｒ）を構築すべく各蓋板の構造として周辺板部に対し段差を伴って中央板部を連続形成する構造が採用されているにもかかわらず、蓋体中央部の剛性が十分に確保されており、複数コンテナのスタッキング時においても蓋板の変形を極力防止することができる。
【発明を実施するための最良の形態】
【００１９】
本発明を具体化した蓋付きコンテナの一実施形態を図面を参照しつつ説明する。図１及び図２に示すように、本実施形態のコンテナは、容器本体１と蓋体２とから構成されている。
【００２０】
容器本体１は、平面矩形状の底壁３と、その底壁３の相対向する二つの長辺に沿ってそれぞれ設けられた一対の第１側壁としての二つの長側壁４と、前記底壁３の相対向する二つの短辺に沿ってそれぞれ設けられた一対の第２側壁としての二つの短側壁５Ａ，５Ｂとを有し、容器本体１は上方に開口形成されている。なお、長側壁４及び短側壁５Ａ，５Ｂはいずれも、上端部ほど外方向に張り出すような緩やかな傾斜が付与されている（図６及び図７参照）。このため、図８に示すように複数の容器本体１を重ね合わせて収納することが可能となっている。
【００２１】
蓋体２は、略矩形状の二枚の蓋板６から構成されている。二枚の蓋板６は、それぞれの基端部が対応する長側壁４の上端部に対しヒンジ部Ｈを介して回動可能に取り付けられている。その結果、各蓋板６は、長側壁４及び短側壁５Ａ，５Ｂの上端部に対して底壁３と平行に載置される閉塞位置（図１参照）と、長側壁４の外側に配置される開放位置（図２参照）との間を切換え配置可能となっている。なお、図３及び図４に示すように、本実施形態における各蓋板６は、その先端部に突片部６１と凹部６２とを交互に形成することにより、両蓋板６を閉塞位置に配置した場合には、相対向する二枚の蓋板６の突片部６１及び凹部６２が互いに噛み合うことで不本意な蓋開きを防止する一方、閉塞位置に配置された二枚の蓋板６を同時に回動操作することによってのみ蓋開きが可能な構造（但しそのような構造は公知、例えば実公昭５８−３１６６８号公報参照）を採用している。
【００２２】
図１、図２、図５及び図６に示すように、短側壁５Ａ，５Ｂの各々の上端部には上端フランジ部５１が設けられている。この上端フランジ部５１は、各短側壁の上端縁から外方向に水平に張り出し形成された水平張り出し部（即ちフランジ部本体）５１ａと、その水平張り出し部５１ａの外周縁から下方に向けて略垂直に延びるように形成されたスカート部５１ｂとからなっている。
【００２３】
短側壁５Ａ，５Ｂの各々の外壁面側に略台形状の浅い凹み５２を付与した結果、短側壁の内壁面側には略台形状の凸部５３が形成されている。そして、短側壁の各々の内壁面には、前記略台形状の凸部５３の一部（左右の上角部）を利用して、第１の荷重受け部としての左右一対の荷重受け部５４が設けられている。各荷重受け部５４は、上端フランジ部５１の上面よりも若干低い位置に位置する水平な受け面を有している。
【００２４】
また、各短側壁の上端フランジ部５１の上面には、複数の係合凸部（即ち真ん中二つの係合凸部５５と、左及び右寄りの計四つの係合凸部５６）が突設されている。これらの係合凸部５５，５６は、蓋板６が閉塞位置に配置されたときに蓋板側の後記係合凹部７５，７６と係合することで蓋板６の位置ズレ等を規制するための規制部として機能する。
【００２５】
なお、本実施形態では、二つの短側壁のうち一方の短側壁５Ａをコンテナの搬送方向に対しての「前側の短側壁５Ａ」とし、他方の短側壁５Ｂを「後側の短側壁５Ｂ」として両者を区別するために、二つの短側壁５Ａ，５Ｂに形態上の差異を付与している。具体的には、次の（イ）〜（ハ）のような差異を設けている。（イ）：前側の短側壁５Ａの外壁面にのみ、識別ラベルの貼り付け部５７を形成している。この貼り付け部５７には、貼着した識別ラベル（図示略）を事後的に剥し易くするために例えばシボ加工が施されている。（ロ）：前側の短側壁５Ａの上端フランジ部５１の上面にのみ、矢印等の目印５８を刻設又は印刷している。（ハ）：前側の短側壁５Ａの前記四つの係合凸部５６にのみ、垂直方向に貫通する孔５９を形成し、後側の短側壁５Ｂの前記四つの係合凸部５６には孔を一切形成していない。
【００２６】
図１、図２、図５及び図７に示すように、長側壁４の各々の上端部には上端フランジ部４１が設けられている。この上端フランジ部４１は、各長側壁４１の上端縁から外方向に水平に張り出し形成された水平張り出し部（即ちフランジ部本体）４１ａと、その水平張り出し部４１ａの外周縁から下方に向けて略垂直に延びるように形成されたスカート部４１ｂとからなっている。そして、各長側壁の上端フランジ部４１の上面には、ヒンジ部Ｈを構成するための複数の側壁側軸支持部４６が突設されている。
【００２７】
長側壁４の各々の外壁面側の三箇所に略台形状の浅い凹み４２を付与した結果、長側壁４の内壁面側には、三つの略台形状の凸部４３が形成されている。そして、長側壁４の各々の内壁面には、二つの略台形状の凸部４３のそれぞれの一部を利用して、第２の荷重受け部としての前後一対の荷重受け部４４が設けられている。各荷重受け部４４は、上端フランジ部４１の上面よりも若干低い位置に位置する水平な受け面を有している。また、各長側壁４の上端フランジ部４１の上面には、第３の荷重受け部としての複数の係合凹部４５（本例では８箇所）が設けられている。各係合凹部４５の底面は水平な受け面として形成されている。
【００２８】
図３及び図４に示すように、蓋体２を構成する各蓋板６は、所定の厚みを有する概して長方形状の板材として形成されている。そして、各蓋板６にあっては、蓋板の相対向する二つの短辺が蓋板の両側部を構成し、蓋板の相対向する二つの長辺のうちの一方が長側壁４の上端部に対して回動可能に取り付けられる基端部を構成し、前記二つの長辺のうちの他方が相手方の蓋板の先端部（６１，６２）と噛み合う先端部を構成するように蓋板６が形成されている。
【００２９】
より具体的には、各蓋板６は、その基端部側及び両側部側の三辺に沿ってあたかもフランジ状に形成された周辺板部６３と、その周辺板部６３に囲まれた内側領域にあって当該周辺板部６３に対して所定の段差を伴って連続形成された中央板部６４とから構成されている。このため、図１に示すように各蓋板６が容器本体上部の閉塞位置に水平配置された場合には、各蓋板の中央板部６４が周辺板部６３よりも若干低い位置に位置すると共に、両蓋板の先端部（６１，６２）が互いに噛み合ってできる蓋体２の中央部には平面矩形状の浅い凹部Ｒが構築される。この蓋体中央部の浅い凹部Ｒは、複数個のコンテナを段積みした際に他のコンテナ（上段を占めるコンテナ）の容器本体１の底壁３を受け入れ可能であり、且つ当該他のコンテナの水平方向への位置ズレを規制可能な程度の大きさ（面積及び深さ）を有している。
【００３０】
各蓋板６の基端部には、円筒状又は円柱状の複数の蓋板側軸支持部６５と、それぞれの蓋板側軸支持部６５を蓋板の本体（周辺板部６３及び中央板部６４）に連結するための複数の軸支持部連結部６６とが、当該基端部側の長辺に沿って直列配置状態で設けられている。これらの蓋板側軸支持部６５は、前記長側壁４の上端部に設けられた複数の側壁側軸支持部４６と共に、蓋板６を長側壁４に対して回動可能に連結するためのヒンジ部Ｈを構成する。
【００３１】
図４に示すように、蓋板の周辺板部６３及び中央板部６４のそれぞれの下面（裏面）側には、多数のリブ又は突条が縦横に形成されている。特に、中央板部６４の下面には、蓋板６の幅方向中央位置（即ち蓋板６の基端部側と先端部側との間をほぼ二等分するような中間位置）において、中央板部６４の長手方向全体に延びる第１の補強リブ６７が突設されている。また、中央板部６４の下面には、前記第１の補強リブ６７と直交する方向に延びる第２の補強リブ６８が複数条（本例では４条）突設されている。ヒンジ部Ｈを介して長側壁４に取り付けられた蓋板６が閉塞位置に配置された状態では、第１の補強リブ６７は長側壁４と平行な関係を示し、第２の補強リブ６８は短側壁５Ａ，５Ｂと平行な関係を示す。
【００３２】
周辺板部６３の下面には、蓋板６の両側部に対応する各位置において、第１の荷重伝達部７１がそれぞれ突設されている。これら二つの第１荷重伝達部７１は、前記第１の補強リブ６７の両端部の近傍にそれぞれ位置すると共に、蓋板６を閉塞位置に配置したときに短側壁の荷重受け部５４（第１の荷重受け部）に当接可能な位置に設けられている。なお図４では、第１の荷重伝達部７１は、リブ状の突部を長方形状に配置することで周辺板部６３の下面側に突出した突部として形成されているが、ブロック状の突部として形成されてもよい。
【００３３】
周辺板部６３の下面には、蓋板６の基端部側の二位置において、二つの第２の荷重伝達部７２が突設されている。これら二つの第２荷重伝達部７２は、前記四条の第２補強リブ６８のうちの外寄り二条の第２補強リブ６８に対応し、これら外寄り二条の第２補強リブ６８の蓋板基端部側端部の近傍にそれぞれ位置すると共に、蓋板６を閉塞位置に配置したときに長側壁の荷重受け部４４（第２の荷重受け部）に当接可能な位置に設けられている。なお図４では、第２の荷重伝達部７２は、リブ状の突部をＬ字状に配置することで周辺板部６３の下面側に突出した突部として形成されているが、ブロック状の突部として形成されてもよい。
【００３４】
更に、各蓋板６の基端部に設けられた前記複数の軸支持部連結部６６の多くには、第３の補強リブとしての短リブ７３が形成されている。各軸支持部連結部６６に形成された短リブ７３の数は一つとは限らず、一つの軸支持部連結部６６に複数の短リブ７３を形成した箇所もある。但し、これらの短リブ７３は、第２の補強リブ６８と平行な方向（即ち第１補強リブ６７と直交する方向）に延びるように形成されると共に、蓋板６を閉塞位置に配置したときに長側壁の上端フランジ部４１に設けられた複数の係合凹部４５（第３の荷重受け部）に対して係合又は当接可能な位置に設けられている。
【００３５】
なお、各蓋板の周辺板部６３の下面には、蓋板６の両側部に対応する各位置において、短側壁５Ａ，５Ｂの上端フランジ部５１上の係合凸部５５，５６とそれぞれ係合可能な係合凹部７５，７６が設けられている。
【００３６】
次に、本実施形態のコンテナの使用方法及び長所について説明する。
【００３７】
図２に示すように、一対の蓋板６を開放位置に配置することで容器本体１の上端開口部が開放される。開放位置の各蓋板６は、ヒンジ部Ｈを頂上の支持部としてほぼ垂直に垂れ下がった姿勢で、その下面（裏面）を外側に向けた状態で長側壁４の外側に配置される。この蓋開き状態のコンテナは、図８に示すように、下段コンテナの容器本体１内に上段コンテナの容器本体１を収納させつつ多段に積み重ねることができる。なお、図８のような蓋開き状態のコンテナの多段積みを「ネスティング」という。
【００３８】
図１に示すように、一対の蓋板６を閉塞位置に配置することで容器本体１の上端開口部が閉塞される。閉塞位置の各蓋板６は、それぞれの周辺板部６３が長側壁４の上端フランジ部４１及び短側壁５Ａ，５Ｂの上端フランジ部５１の上に載置された水平な姿勢で、それぞれの上面（表面）を上に向けた状態で容器本体１の上部に配置される。また、一方の蓋板６の先端部の突片部６１及び凹部６２と、他方の蓋板６の先端部の突片部６１及び凹部６２とが互いに噛み合って見掛け上一体化することで、一枚の蓋体２が構築される。そして、この蓋体２の中央部には、各蓋板６の周辺板部６３と中央板部６４とが段差を伴って形成されていることを反映して、平面矩形状の浅い凹部Ｒが構築される。
【００３９】
なお、各蓋板６を閉塞位置に配置したとき、各蓋板下面の二つの第１の荷重伝達部７１が、前側及び後側の短側壁５Ａ，５Ｂの荷重受け部５４にそれぞれ着座し、各蓋板下面の二つの第２の荷重伝達部７２が、対応する長側壁４の二つの荷重受け部４４にそれぞれ着座し、更に各蓋板６の複数の軸支持部連結部６６に設けられた短リブ７３が、対応する長側壁４の上端フランジ部４１に設けられた複数の係合凹部４５にそれぞれ着座する。加えて、各蓋板下面の係合凹部７５，７６が、前側及び後側の短側壁５Ａ，５Ｂの上端フランジ部５１に突設された係合凸部５５，５６にそれぞれ係合する。
【００４０】
図１のような蓋閉じ状態のコンテナは、図９に示すように、下段コンテナの蓋板２の浅い凹部Ｒに上段コンテナの容器本体１の底部（即ち底壁３）を係合させつつ多段に積み上げることができる。なお、図９のような蓋閉じ状態のコンテナの多段積みを「スタッキング」という。
【００４１】
図９のようなスタッキング時、上段コンテナの容器本体１の底部が下段コンテナの蓋板２の浅い凹部Ｒ内に収められる結果、蓋板２の中央部一帯（つまり二枚の蓋板６の先端部が噛み合っている領域）には上段コンテナからの荷重が作用する。この点、本実施形態によれば、蓋板２の中央部一帯に作用した荷重の一部は、第１補強リブ６７及び第１荷重伝達部７１を介して短側壁５Ａ，５Ｂの荷重受け部５４に伝達され、その荷重受け部５４を介して短側壁５Ａ，５Ｂに分散される。同様に、蓋板２の中央部一帯に作用した荷重の一部は、第１補強リブ６７と直交する第２補強リブ６８及び第２荷重伝達部７２を介して長側壁４の荷重受け部４４に伝達され、その荷重受け部４４を介して長側壁４に分散される。また、各蓋板６の中央板部６４に第１補強リブ６７及び第２補強リブ６８を縦横に設けたことで、蓋板６自体の剛性も高められている。従って、本実施形態のコンテナを蓋閉じ状態でスタッキングした場合でも、上段コンテナからの荷重を受ける下段コンテナの蓋体２が極度に撓んだり変形したりすることがない。
【００４２】
また、二枚の蓋板６を閉塞位置に配置したときに蓋体２の中央部に構築される浅い凹部Ｒに対し、その上段のコンテナの底部を受け入れさせ、コンテナの水平方向への相対移動を規制又は制約するようにしたので、図９のようなスタッキング時にコンテナが位置ズレを起こす心配が無く、コンテナの多段積みが非常に安定する。
【００４３】
更に本実施形態では、スタッキング時におけるコンテナ相互間の水平移動規制を、下段コンテナの蓋体中央部に構築される浅い凹部Ｒと、その浅い凹部Ｒに受容される上段コンテナの底部との間の凹凸係合に基づくものとしたので、コンテナの積み上げ作業をスライドスタッキングによって行うことができる。本実施形態のスライドスタッキングとは、図１０に示すように、下段コンテナの蓋体２の一端（図１０では後側短側壁５Ｂの上端）に上端コンテナの底部の一端（図１０では前側短側壁５Ａの下端）を載せた後、下段コンテナの後側短側壁５Ｂから前側短側壁５Ａに向けてその蓋体２上を上段コンテナにスライドさせることで、蓋閉じ状態の下段コンテナの真上に上段コンテナを配置する積み上げ手法をいう。スライドスタッキングによれば、多段積みの作業性が極めて良くなる。
【００４４】
なお、蓋体２の中央部に浅い凹部Ｒを構築可能とすべく、各蓋板６を周辺板部６３と中央板部６４との間で段差を伴う構造とした場合には、蓋体２の中央部への荷重集中時に各蓋板６が非常に撓み易いという欠点を生ずるのが通例である。この点、本実施形態では、蓋板の中央板部６４の下面側に長側壁と平行に延びる第１補強リブ６７を設けると共に、第１補強リブ６７の端部の近傍であるところの蓋板の周辺板部６３の下面側に第１荷重伝達部７１を設けている。また、蓋板の中央板部６４の下面側に第１補強リブ６７と直交する第２補強リブ６８を設けると共に、第２補強リブ６８の端部の近傍であるところの蓋板の周辺板部６３の下面側に第２荷重伝達部７２を設けている。このため、各蓋板６を前述のような段差構造としているにもかかわらず、蓋閉塞時における蓋体２の中央部付近の剛性は非常に高められており、図９のようなスタッキング時に蓋体２の中央部が過度に変形するおそれがない。
【００４５】
本実施形態では、蓋板６を閉塞位置に配置した際、蓋板６の本体から軸支持部連結部６６に伝えられた荷重の一部が、短リブ７３及び長側壁の係合凹部４５を介して長側壁４に伝達されるので、蓋板６の変形防止の一助とすることができる。また、円筒状又は円柱状の蓋板側軸支持部６５を蓋板６の本体に連結するための軸支持部連結部６６に短リブ７３を形成したことで、当該軸支持部連結部６６の強度が向上し、ひいてはヒンジ部Ｈの破損防止を図ることができる。
【００４６】
本実施形態では、一対の短側壁５Ａ，５Ｂのうちの一方（５Ａ）のみに対して、識別ラベルの貼り付け部５７を設けること、矢印等の目印５８を設けること、更には短側壁５Ａの係合凸部５６に孔５９を形成することにより、コンテナの前後を識別可能としている。それ故、例えば物流拠点に設置されたコンベアラインでの作業時に、各コンテナの前後識別が極めて容易になり、ライン作業（例えばコンテナのコンベアへの積載又はコンベアからの積み下ろし作業）を間違いなく効率的に行うことができる。特に、短側壁５Ａの上端フランジ部５１の上面に矢印等の目印５８を設けると共に係合凸部５６に孔５９を形成しているので、蓋開き状態のコンテナを上から見た場合でも、これらの目印（５８，５９）によってコンテナの前後を容易に識別することができる。
【００４７】
なお、蓋閉じ状態のコンテナを上から見た場合、上記矢印等の目印５８や係合凸部５６の孔５９は蓋板６によって覆い隠されてしまい、これらの目印（５８，５９）によってコンテナの前後を識別することができない。この点を改善するために、二枚の蓋板の着色を異ならせること（例えば一方を赤色、他方を青色に着色すること）で蓋閉じ状態のコンテナの前後を示唆するようにしてもよい。あるいは、蓋板６の上面に、コンテナの前後を示唆する矢印等の目印を刻設又は印刷してもよい。
【００４８】
［変更例］本発明の実施形態を以下のように変更してもよい。
【００４９】
上記実施形態では、蓋板６において、第１補強リブ６７（又は第２補強リブ６８）の端部近傍に第１荷重伝達部７１（又は第２荷重伝達部７２）を配置する構造としたが、補強リブと荷重伝達部とが完全に一体化した構造、例えば第１補強リブ６７（又は第２補強リブ６８）の端部がそのまま第１荷重伝達部（又は第２荷重伝達部）としての役目を果たすような構造を採用してもよい。
【００５０】
上記実施形態では、蓋板６の中央板部６４の長手方向に延びる第１補強リブ６７を蓋板の幅方向略中央位置（即ち蓋板６の基端部と先端部との中間位置）に配置したが、第１補強リブ６７は、蓋板６の基端部と先端部との中間位置よりも蓋体６の先端部寄りに位置するように設けてもよい。その場合でも、蓋閉じ状態コンテナの蓋体２の中央部にかかる荷重を十分に支持して、蓋体２の変形を防止できることは言うまでもない。
【００５１】
上記実施形態では、回動可能な各蓋板６の先端部に突片部６１及び凹部６２を形成し、二枚の蓋板６を相互に噛み合わせて蓋閉じ可能としたが、各蓋板６の先端部を普通にストレートに形成し、二枚の蓋板のストレートな先端部同士が向き合うことで蓋閉じが完了するような蓋付きコンテナに対し、本発明を適用してもよい。
【図面の簡単な説明】
【００５２】
【図１】蓋閉じ状態のコンテナを示す斜視図。
【図２】蓋開き状態のコンテナを示す斜視図。
【図３】蓋体を構成する蓋板を上面側から見た斜視図。
【図４】蓋体を構成する蓋板を下面側から見た斜視図。
【図５】蓋開き状態のコンテナの一部（前側寄り部分）を示す部分平面図。
【図６】図５のＣ−Ｃ線位置での蓋閉じ状態を示す部分断面図。
【図７】図５のＡ−Ａ線位置での蓋閉じ状態を示す部分断面図。
【図８】蓋開き状態の２個のコンテナをネスティングしたときの斜視図。
【図９】蓋閉じ状態の２個のコンテナをスタッキングしたときの斜視図。
【図１０】蓋閉じ状態コンテナのスライドスタッキングの概略説明図。
【符号の説明】
【００５３】
１…容器本体、２…蓋体、３…底壁、４…長側壁（第１側壁）、５Ａ，５Ｂ…短側壁（第２側壁）、６…蓋板、４４…長側壁の荷重受け部（第２の荷重受け部）、４５…長側壁の係合凹部（第３の荷重受け部）、４６…長側壁の側壁側軸支持部、５４…短側壁の荷重受け部５４（第１の荷重受け部）、６３…蓋板の周辺板部、６４…蓋板の中央板部、６５…蓋板側軸支持部、６６…軸支持部連結部、６７…第１の補強リブ、６８…第２の補強リブ、７１…第１の荷重伝達部、７２…第２の荷重伝達部、７３…短リブ７３（第３の補強リブ）、Ｈ…ヒンジ部、Ｒ…蓋体の中央部の浅い凹部。
【図１】
2008213881.tif 000003
【図２】
2008213881.tif 000004
【図３】
2008213881.tif 000005
【図４】
2008213881.tif 000006
【図５】
2008213881.tif 000007
【図６】
2008213881.tif 000008
【図７】
2008213881.tif 000009
【図８】
2008213881.tif 000010
【図９】
2008213881.tif 000011
【図１０】
2008213881.tif 000012